(57)【要約】  本発明は、複数の単電池ａを同一平面に配列した組電池Ａと、複数の単電池ｂを同一平面に配列した組電池Ｂとを含む電源装置であって、組電池Ａの電極と組電池Ｂの電極とは、バスバーを介して電気接続されており、かつバスバーの少なくとも一部は、組電池Ａの単電池ａ同士の隙間に配置されている、電源装置に関する。本発明によれば、複数の組電池を接続した電源装置において、組電池の電気接続部の容積を低減して電源装置のエネルギー密度を高めること、および組電池同士の電気接続を容易に行える。
2012164837.tif 000002
【特許請求の範囲】
【請求項１】
複数の単電池ａを同一平面に配列した組電池Ａと、複数の単電池ｂを同一平面に配列した組電池Ｂと、を含む電源装置であって、
前記組電池Ａの電極と前記組電池Ｂの電極とは、バスバーを介して電気接続されており、かつ前記バスバーの少なくとも一部は、前記組電池Ａの前記単電池ａ同士の隙間に配置されている、電源装置。
【請求項２】
前記組電池Ａは、複数の円柱状の単電池ａと、前記単電池ａの頂部に配置された電極板α-１と、前記単電池ａの底部に配置された電極板α-２とを含み、
前記組電池Ｂは、複数の円柱状の単電池ｂと、前記単電池ｂの頂部に配置された電極板β-１と、前記単電池ｂの底部に配置された電極板β-２とを含み、かつ
前記バスバーは、前記単電池ａの頂部に配置された電極板α-１と、前記単電池ｂの底部に配置された電極板β-２とを接続する、請求項１に記載の電源装置。
【請求項３】
前記バスバーの少なくとも一部は、前記組電池Ｂの前記単電池ｂ同士の隙間に配置されている、請求項１または２に記載の電源装置。
【請求項４】
前記バスバーは、銅、鉄，ニッケル，アルミニウム、またはそれらの合金、もしくはそれらを含む複層の合板である、請求項１または２に記載の電源装置。
【請求項５】
前記バスバーは、外径Φ５〜２０ｍｍの中実バーである、請求項１または２に記載の電源装置。
【請求項６】
前記バスバーは、外径Φ５〜２０ｍｍ、内径４〜１９ｍｍの中空バーである、請求項１または２に記載の電源装置。
【請求項７】
前記バスバーの中空部は、前記単電池ａまたは前記単電池ｂから排出されるガスの排気流路となる、請求項６に記載の電源装置。
【請求項８】
前記バスバーは、前記電極板α-１または前記電極板β-２に、機械的または冶金的に接合されている、請求項２に記載の電源装置。
【請求項９】
前記組電池Ａまたは前記組電池Ｂは、前記複数の単電池を保持するハウジングを有し、かつ
前記バスバーは、前記ハウジングと離間している、請求項１または２に記載の電源装置。
【請求項１０】
前記組電池Ａの前記単電池ａ同士の隙間、または前記組電池Ｂの前記単電池ｂ同士の隙間には、温度または電圧のセンサーが配置されている、請求項１または２に記載の電源装置。
【請求項１１】
複数の単電池ａが同一平面に配列された組電池Ａと複数の単電池ｂが同一平面に配列された組電池Ｂとが交互に連続して配置され、前記組電池Ａの電極と前記組電池Ｂの電極とがバスバーを介して電気接続され、前記バスバーの少なくとも一部は前記単電池ａ同士の隙間に配置されている、第１の電池モジュールと、
前記第１の電池モジュールと同様にして製造された第２の電池モジュールと、を有し、
前記第１、第２の電池モジュールは、各陽極側が互いに向かい合うように配置され、前記第１の電池モジュールの一端の陽極と、前記第２の電池モジュールの一端の負極とがバスバーを介して電気接続されている、電源装置。
【請求項１２】
前記第１、第２の電池モジュールの陽極上に配置された、防爆フードをさらに備える、請求項１１に記載の電源装置。
【請求項１３】
複数の単電池ａが同一平面に配列された組電池Ａと複数の単電池ｂが同一平面に配列された組電池Ｂとが交互に連続して配置され、前記組電池Ａの電極と前記組電池Ｂの電極とがバスバーを介して電気接続され、前記バスバーの少なくとも一部は前記単電池ａ同士の隙間に配置されている、第１の電池モジュールと、
前記第１の電池モジュールと同様にして製造された第２の電池モジュールと、を有し、
前記第１の電池モジュールの陽極側と、前記第２の電池モジュールの負極側とがそれぞれ向かい合うように配置され、前記第１の電池モジュールの一端の陽極と、前記第２の電池モジュールの一端の負極とがバスバーを介して電気接続されている、電源装置。
【発明の詳細な説明】
【技術分野】
【０００１】
本発明は、電源装置、特に複数の単電池を含む組電池同士を電気接続した電源装置に関する。
【背景技術】
【０００２】
大容量の電源装置を得るために、複数の単電池を収容する電池ユニット（組電池）を複数電気接続して、電源装置とすることがある（特許文献１を参照）。特許文献１は、各電池ユニットに金属リード板を設けて、金属リード板を介して電池ユニット同士を電気接続することを提案している。このとき、金属リード板同士を直接接触させてもよいし、リード線で接続してもよいし、半田付けして連結してもよいとされている。
その他にも、例えば、特許文献２，３には、複数の組電池がバスバーを介して直列に接続された電源装置が提案されている。しかし、バスバーを配置するための空間が必要となり、電源装置全体の体積が増大するという問題があった。
【先行技術文献】
【特許文献】
【０００３】
【特許文献１】特開２０００−１３３２２７号公報
【特許文献２】特開２００３-４５５０４号公報
【特許文献３】米国特許出願公開第２０１１/０１０４５５
【発明の概要】
【発明が解決しようとする課題】
【０００４】
近年、電源装置の大容量化とともに、その容積を低減すること、つまりエネルギー密度の高い電源装置が求められている。一方で、電源装置を構成する電池ユニット（組電池）の電気接続作業が簡便であることが求められている。【０００５】
そこで本発明は、電池ユニット（組電池）の電気接続部の容積を低減して電源装置のエネルギー密度を高めること、および組電池同士の電気接続を容易に行えるようにすること、を目的とする。
【課題を解決するための手段】
【０００６】
すなわち本発明は、以下に示す電源装置に関する。
［１］複数の単電池ａを同一平面に配列した組電池Ａと、複数の単電池ｂを同一平面に配列した組電池Ｂと、を含む電源装置であって、組電池Ａの電極と組電池Ｂの電極とは、バスバーを介して電気接続されており、かつバスバーの少なくとも一部は、組電池Ａの単電池ａ同士の隙間に配置されている、電源装置。
［２］組電池Ａは、複数の円柱状の単電池ａと、単電池ａの頂部に配置された電極板α-１と、単電池ａの底部に配置された電極板α-２とを含み、組電池Ｂは、複数の円柱状の単電池ｂと、単電池ｂの頂部に配置された電極板β-１と、単電池ｂの底部に配置された電極板β-２とを含み、かつバスバーは、単電池ａの頂部に配置された電極板α-１と、単電池ｂの底部に配置された電極板β-２とを接続する、［１］に記載の電源装置。
［３］バスバーの少なくとも一部は、組電池Ｂの単電池ｂ同士の隙間に配置されている、［１］または［２］に記載の電源装置。【０００７】
［４］バスバーは、銅、鉄，ニッケル，アルミニウム、またはそれらの合金、もしくはそれらを含む複層の合板である、［１］または［２］に記載の電源装置。
［５］バスバーは、外径Φ５〜２０ｍｍの中実バーである、［１］または［２］に記載の電源装置。
［６］バスバーは、外径Φ５〜２０ｍｍ、内径４〜１９ｍｍの中空バーである、［１］または［２］に記載の電源装置。
［７］バスバーの中空部は、単電池ａまたは単電池ｂから排出されるガスの排気流路となる、［６］に記載の電源装置。【０００８】
［８］バスバーは、電極板α−１または電極板β−２に、機械的または冶金的に接合されている、［２］に記載の電源装置。【０００９】
［９］組電池Ａまたは組電池Ｂは、複数の単電池を保持するハウジングを有し、かつバスバーは、ハウジングと離間している、［１］またま［２］に記載の電源装置。
［１０］組電池Ａの単電池ａ同士の隙間、または組電池Ｂの単電池ｂ同士の隙間には、温度または電圧のセンサーが配置されている、［１］または［２］に記載の電源装置。
［１１］複数の単電池ａが同一平面に配列された組電池Ａと複数の単電池ｂが同一平面に配列された組電池Ｂとが交互に連続して配置され、組電池Ａの電極と組電池Ｂの電極とがバスバーを介して電気接続され、バスバーの少なくとも一部は単電池ａ同士の隙間に配置されている、第１の電池モジュールと、第１の電池モジュールと同様にして製造された第２の電池モジュールと、を有し、第１、第２の電池モジュールは、各陽極側が互いに向かい合うように配置され、第１の電池モジュールの一端の陽極と、第２の電池モジュールの一端の負極とがバスバーを介して電気接続されている、電源装置。
［１２］第１、第２の電池モジュールの陽極上に配置された、防爆フードをさらに備える、［１１］に記載の電源装置。
［１３］複数の単電池ａが同一平面に配列された組電池Ａと複数の単電池ｂが同一平面に配列された組電池Ｂとが交互に連続して配置され、組電池Ａの電極と組電池Ｂの電極とがバスバーを介して電気接続され、バスバーの少なくとも一部は単電池ａ同士の隙間に配置されている、第１の電池モジュールと、第１の電池モジュールと同様にして製造された第２の電池モジュールと、を有し、第１の電池モジュールの陽極側と、第２の電池モジュールの負極側とがそれぞれ向かい合うように配置され、第１の電池モジュールの一端の陽極と、第２の電池モジュールの一端の負極とがバスバーを介して電気接続されている、電源装置。
【発明の効果】
【００１０】
本発明の電源装置は、複数の単電池を有する組電池の複数を電気接続することで、大容量化されている。しかも、組電池同士の電気接続部がコンパクトであるので、電源装置のエネルギー密度が高まる。よって、大容量化とともに、エネルギー密度の向上が望まれる用途の電源装置に用いられうる。
【図面の簡単な説明】
【００１１】
【図１】図１Ａは電源装置を構成する組電池の例の斜視図である。図１Ｂは電源装置を構成する組電池の例の分解斜視図である。
【図２】図２Ａは、図１Ａにおける組電池１００を矢印Ｘ１の側から見た側面図である。図２Ｂは、図１Ａにおける組電池１００を矢印Ｘ２の側から見た側面図である。図２Ｃは、図１Ａにおける組電池１００を矢印Ｙの方向から見た側面図である。図２Ｄは、図１Ａにおける組電池１００を矢印Ｚの方向から見た上面図である。
【図３】図３Ａは単電池の群が最密重点配列されている場合のバスバーが配置される位置を示す斜視図である。図３Ｂは単電池の群が最密重点配列されている場合のバスバーが配置される位置を示す上面図である。図３Ｃは単電池の群が立方配列されている場合のバスバーが配置される位置を示す斜視図である。図３Ｄは単電池の群が立方配列されている場合のバスバーが配置される位置を示す上面図である。
【図４】図４Ａは防爆構造を備える電源装置を構成する組電池の例の斜視図である。図４Ｂは防爆構造を備える電源装置を構成する組電池の例の分解斜視図である。
【図５】２つの組電池を接続する状態を示す図である。
【図６】図６Ａは、電源装置の１実施形態の外観斜視図である。図６Ｂは、電源装置の１実施形態の内部斜視図である。図６Ｃは、電源装置の１実施形態の内部上面図である。
【図７】図７は、電源装置の１実施形態の変形例の内部上面図である。
【発明を実施するための形態】
【００１２】
本発明の電源装置は、２以上の組電池を含み、組電池同士が電気接続されている。組電池同士の電気接続は、直列接続であっても、並列接続であってもよい。組電池同士の電気接続を、バスバーを介して行うことを特徴とする。
【００１３】
組電池において、各単電池は同一平面に配列されていることが好ましい。具体的には、組電池は、複数の円柱状の単電池と、単電池の柱頂部に配置された電極板と、単電池の柱底部に配置された電極板と、を有する。単電池の柱頂部に配置された電極板は、単電池の柱頂部の電極端子と接続している。単電池の柱底部に配置された電極板は、単電池の柱底部の電極端子と接続している。
【００１４】
組電池に含まれる複数の単電池は、ハウジングと称される収容部材に支持されていてもよい。ハウジングは、例えば、各単電池を収容可能なパイプ状部材の集合体（図１におけるパイプ状部材３０を参照）、各単電池を収容可能な孔を設けた鋳物などでありうる。
【００１５】
バスバーは、組電池同士を電気接続させる導体部材であればよく、柔軟な配線部材であってもよいし、剛直な金属棒であってもよい。しかし、組電池同士の接続作業を容易にするという視点から、剛直な金属棒とする場合もある。金属棒は、中実の棒材であってもよく、中空の棒材であってもよい。金属の例には、銅、鉄，ニッケル，アルミニウム、またはそれらの合金が含まれる。バスバーは、それらの金属を含む複層の合板であってもよい。
【００１６】
バスバーを構成する金属棒は、外径Φ５〜２０ｍｍであることが好ましい。外径Φを５ｍｍ以上とすることで、十分な強度を得る。一方、外径Φを２０ｍｍ以下とすることで、組電池同士をスペース効率よく接続させることができる。さらに、バスバーを構成する金属棒は、中実バーであってもよいし、中空バー（パイプ状）であってもよい。
【００１７】
図１Ａは、電源装置を構成する組電池１００の斜視図である。図１Ｂは、電源装置を構成する組電池１００の分解斜視図である。図１Ｂに示されるように、組電池１００は、電極板１０と、ホルダー２０と、複数のパイプ状部材３０（３０ａ，３０ｂ，…３０ｔ）からなるハウジングと、複数の単電池４０（４０ａ，４０ｂ，…、４０ｔ）と、ホルダー５０と、電極板６０と、バスバー７０とを有する。
【００１８】
各単電池４０は、パイプ状部材３０に収容される。収容された単電池４０は、ホルダー２０およびホルダー５０で支持される。単電池の一方の電極４１は電極板１０に接続し、他方の電極４２は電極板６０に接続する。
【００１９】
バスバー７０は、電極板１０には接続しているが、一方で、電極板６０には接続していない。バスバー７０は、電極板１０に一体不可分に接続されていてもよいし、着脱可能に接続されていてもよい。例えば、電極版１０にバスバー７０を冶金的に接合すれば、通常は一体不可分になる。電極板１０にバスバー７０をねじで固定すれば、脱着可能に接続される。
【００２０】
図２Ａは、図１Ａにおける組電池１００を矢印Ｘ１の側から見た側面図である。図２Ｂは、図１Ａにおける組電池１００を矢印Ｘ２の側から見た側面図である。図２Ｃは、図１Ａにおける組電池１００を矢印Ｙの方向から見た側面図である。図２Ｄは、図１Ａにおける組電池１００を矢印Ｚの方向から見た上面図である。
【００２１】
図２Ａに示されるように、一方の側面のパイプ状部材３０ｇ、３０ｔ同士の間に、バスバー７０が挟まれている。一方、図２Ｂに示されるように、他方の側面、即ち３０ａ、３０ｎ同士の間には、バスバー７０は配置されていない。そして、図２Ｃに示されるように、バスバー７０の一部は、パイプ状部材３０同士の隙間に入り込んでいる。このように、バスバー７０の軸方向と、単電池４０の軸方向とは平行していることが好ましい。
【００２２】
図２Ｄに示されるように、電極板１０（組電池１００）の長さ方向の一端にバスバー７０が配置されている。バスバー７０の一端は電極板１０に接合している。一方、バスバー７０の他端は、電極板６０に接合しておらず、他の部材に接合することができる。バスバー７０の電極板１０への接合は、機械的または冶金的接合される。
【００２３】
また、図２Ｃに示されるように、電極板６０は、バスバー７０が配置される側とは反対側に、接続部位６１を有している。接続部位６１は、他の組電極のバスバー７０が接続する部位となりうる（図５参照）。
【００２４】
組電池における単電池は、同一平面に配列されていることが好ましい。その配列は特に限定されないが、配列された単電池同士の隙間が設けられる必要がある。単電池は、例えば、図３Ａ、図３Ｂに示されるように、最密重点配列されていてもよい。また図３Ｃ、図３Ｄに示されるように、立方配列されていてもよい。
【００２５】
図３Ａは複数の単電池４０（４０ａ、４０ｂ、…４０ｔ）が最密充点配列されている状態を示す斜視図である。図３Ｂは、図３Ａに対応する複数の単電池４０の上面図である。図３Ｂに示すように、複数の単電池４０（４０ａ、４０ｂ、…４０ｔ）は、最密充填状態で３列に配置されている。バスバー７０は、図３Ａに示すように1列目右端の単電池４０ｇと３列目右端の単電池４０ｔの間の点線７１に沿って配置されている。またバスバー７０は、図３Ｂに示すように複数の単電池４０の長さ（Ｘ）方向の右端、幅（Ｙ）方向の２列目の位置７２に配置されている。このようにバスバー７０を配置することで、バスバー７０の一部が、単電池４０同士の隙間に配置される。
【００２６】
また、図３Ｃは複数の単電池４０（４０ａ、４０ｂ、…４０ｔ）が立方配列されている状態を示す斜視図である。図３Ｄは、図３Ｃに対応する複数の単電池４０の上面図である。図３Ｄに示すように、複数の単電池４０（４０ａ、４０ｂ、…４０ｔ）は、立方配列状態で３列に配置されている。バスバー７０は、図３Ｃに示すように1列目右端の単電池４０ｇと３列目右端の単電池４０ｔの間の点線７１に沿って配置されている。またバスバー７０は、図３Ｄに示すように複数の単電池４０の長さ（Ｘ）方向の右端、幅（Ｙ）方向の２列目の位置７２に配置されている。このようにバスバー７０を配置することで、バスバー７０の一部が、単電池４０同士の隙間に配置される。
以上のように、図３Ａ〜図３Ｄに示すように複数の単電池４０を配置することで、バスバーを配置する空間を最小限にすることができる。そのため、組電池１００Ａ，１００Ｂを組み合わして、電源装置を製造した際に、電源装置全体の体積を小さくすることができる。
【００２７】
バスバー７０の一部が、単電池４０同士の隙間に配置されていればよい。隙間に配置されるとは、例えば図３Ｂおよび図３Ｄの点線に示されるように、単電池の縁を結ぶ直線（共通の接線）よりも内部にバスバー７０の一部が配置されていればよい。
【００２８】
バスバー７０は、単電池４０同士の隙間に配置されるが、単電池４０またはそれを覆うパイプ状部材３０には接触せずに、離間していることが好ましい。離間部に冷媒を流すことで、発電中の組電池の発熱を抑制するためである。
【００２９】
前述の通り、バスバー７０はパイプ状の中空バーであってもよい。その場合には、中空バーの中空部分を、排気流路として用いてもよい。各単電池４０は、何らかの不具合により、熱暴走が起こる可能性を有している。そのような恐れに対して、各単電池４０は、防爆弁４３と称される安全弁を有していることが好ましい（図４Ｂ参照）。防爆弁４３は、単電池４０の内部の圧力が過剰に高まったときに、内部圧力を解放することで、単電池４０が爆発することを防止する。防爆弁４３が開放したときのガスを、防爆フード８０とバスバー７０の中空部分からなる流路を通して、外部に排気することができる。
【００３０】
図４Ａ、図４Ｂには、防爆構造を有する組電池１００’が示される。図４Ａは、組電池１００’の斜視図である。図４Ｂは、組電池１００’の分解斜視図である。図４Ｂに示されるように、組電池１００’は、防爆フード８０と、電極板１０と、ホルダー２０と、複数のパイプ状部材３０からなるハウジングと、複数の単電池４０’と、ホルダー５０と、電極板６０と、バスバー７０とを有する。電極板１０と、ホルダー２０と、複数のパイプ状部材３０からなるハウジングと、ホルダー５０と、電極板６０と、バスバー７０とは、図１Ａに示されるものと同様である。
【００３１】
組電池１００’の単電池４０’は、防爆弁４３を有する。さらに、防爆フード８０は、単電池４０’の上部に密閉空間を形成する。防爆フード８０が形成する密閉空間は、バスバー７０の中空部と連通している。従って、仮に単電池４０’の防爆弁が開いた場合には、その排ガスは防爆フード８０が形成する密閉空間と、バスバー７０の中空部とを経て、組電池１００’の外部に輩出される。
【００３２】
図５には、２つの組電池（１００Ａと１００Ｂ）を、バスバーを介して接続する状態が示される。組電池１００Ａは、単電池４０Ａを収容するパイプ状部材３０Ａを複数含み、さらに電極板１０Ａと電極板６０Ａを有する。一方、組電池１００Ｂは、単電池４０Ｂを収容するパイプ状部材３０Ｂを複数含み、電極板１０Ｂと電極板６０Ｂを有する。
【００３３】
組電池１００Ａはバスバー７０Ａを有しており、バスバー７０Ａの一端は電極板１０Ａに接続しているが、他端は電極板６０Ａに接続していない。一方、組電池１００Ｂの電極板６０Ｂは、バスバー７０Ａの他端が接続するための接続部位６１Ｂを有する。
【００３４】
組電池１００Ａと組電池１００Ｂとを接続して電源装置とする場合には、組電池１００Ａのバスバー７０Ａを、組電池１００Ｂの接続部位６１Ｂに接続すればよい。バスバー７０Ａは、接続部位６１Ｂに機械的または冶金的に接合されうる。バスバー７０Ａは剛直体であるので、接続部位６１Ｂに位置あわせしやすく、接続作業が容易である。また、バスバー７０Ａと接続部位６１Ｂとをねじ固定すれば、容易に再分離することもできるので、電源装置のメンテナンスなども容易になる。
【００３５】
さらに、組電池１００Ｂも、組電池１００Ａと同様に、電極板１０Ｂに接続したバスバー７０Ｂ（不図示）を有していてもよい。バスバー７０Ｂは、組電池１００Ｃ（不図示）の電極板６０Ｃの接続部位６１Ｃに接続することで、さらに高容量の電源装置を得てもよい。
【００３６】
上述の組電池１００Ａ、１００Ｂの使用例として、組電池１００Ａ、１００Ｂを備える、電源装置の１実施形態を挙げて説明する。
図６Ａは、電源装置の１実施形態の外観斜視図である。図６Ｂは、電源装置の１実施形態の内部斜視図である。図６Ｃは、電源装置の１実施形態の内部上面図である。
図６Ａに示すように、電源装置２００は、直方体状の本体ケース２０１と、本体ケースの上面に配置された蓋体２０２とを備える。本体ケース２０１の内部には、図６Ｂに示すように、複数の単電池ａが同一平面に配列された組電池１００Ａと複数の単電池ｂが同一平面に配列された組電池１００Ｂとが交互に連続して配置された第１の電池モジュール３０１と、第1の電池モジュール３０１と同様に製造された第２の電池モジュール３０２とが納められている。第１の電池モジュール３０１と第２の電池モジュール３０２は、各陽極側が互いに向かい合うように配置されている。第１の電池モジュール３０１の一端の陽極と、第２の電池モジュール３０２の一端の負極とはバスバー７０を介して電気接続されている。なお、図６Ｃに示すように、組電池１００Ａの電極と組電池１００Ｂの電極とはバスバーを介して電気接続されている。バスバーの少なくとも一部は、組電池１００Ａの長さ方向の一端の単電池ａ同士の隙間に配置されている。
図６Ｃに仮想線で示すように、第１、第２の電池モジュール３０１、３０２の陽極上には、防爆フード８０を設けることが好ましい。万が一、単電池ａ(ｂ)が破裂した場合であっても、電源装置２００の外部に部品の飛散を防止して、電源装置２００の安全性を向上できるからである。
【００３７】
図７は、電源装置の１実施形態の変形例の内部上面図である。図７に示すように、第１、第２の電池モジュール３０１、３０２は、第１の電池モジュール３０１の陽極側と、第２の電池モジュール３０２の負極側とがそれぞれ向かい合うように配置してもよい。その際は、第１の電池モジュール３０１の一端の陽極と、第２の電池モジュール３０２の一端の負極とはバスバー７０を介して電気接続されることが好ましい。また図７に仮想線で示すように、第１、第２の電池モジュール３０１、３０２のそれぞれの陽極上に、防爆フード８０を設けることが好ましい。上述と同様に電源装置２００の安全性が向上するからである。
図６Ｃ、図７に示す第１、第２の電池モジュール３０１、３０２の配置の中では、図６Ｃに示す配置が好ましい。防爆フードを1つ配置すればよい点で、部材数を少なくできるからである。
【００３８】
本出願は、同出願人により先にされた日本国特許出願、すなわち、特願２０１１−１２１６４０号（出願日２０１１年５月３１日）に基づく優先権主張を伴うものであって、これらの明細書の内容を参照して本発明の一部としてここに組み込むものとする。
【産業上の利用可能性】
【００３９】
本発明の電源装置は、互いに電気接続された複数の組電池を有するので大容量の電源装置である。しかも、組電池を電気接続する接続部がコンパクトであるので、エネルギー密度の高い電源装置である。よって、大容量化とともに、エネルギー密度の向上が望まれる用途の電源装置に用いられうる。
【符号の説明】
【００４０】
１０，１０Ａ，１０Ｂ  電極板
２０  ホルダー
３０，３０Ａ，３０Ｂ  パイプ状部材
４０  単電池
４０’  防爆弁を有する単電池
４１  電極
４２  電極
４３  防爆弁
５０  ホルダー
６０，６０Ａ，６０Ｂ  電極板
７０，７０Ａ，７０Ｂ  バスバー
８０  防爆フード
１００，１００Ａ，１００Ｂ  組電池
１００’  防爆構造を有する組電池
２００  電源装置
２０１  本体ケース
２０２  蓋体
３０１  第１の電池モジュール
３０２  第２の電池モジュール
【図１】
2012164837.tif 000003
【図２】
2012164837.tif 000004
【図３】
2012164837.tif 000005
【図４】
2012164837.tif 000006
【図５】
2012164837.tif 000007
【図６】
2012164837.tif 000008
【図７】
2012164837.tif 000009
【手続補正書】
【提出日】平成24年8月1日(2012.8.1)
【手続補正１】
【補正対象書類名】明細書
【補正対象項目名】０００６
【補正方法】変更
【補正の内容】
【０００６】
すなわち本発明は、以下に示す電源装置に関する。
［１］同一平面に配列された複数の円柱状の単電池ａ、前記単電池ａの頂部に配置された電極板α-１、前記単電池ａの底部に配置された電極板α-２を含む組電池Ａと、
同一平面に配列された複数の円柱状の単電池ｂ、前記単電池ｂの頂部に配置された電極板β-１、前記単電池ｂの底部に配置された電極板β-２を含む組電池Ｂと、
前記組電池Ａの前記単電池ａ同士の隙間に配置され、前記電極板α-１および前記電極板β-２を介して前記組電池Ａの電極と前記組電池Ｂの電極とを電気的に接続するバスバーと、を有し、
前記電極板α-１は、前記電極板α-１の一端から前記組電池Ｂ側に延設された前記バスバーの一端が電気的に接続される接続部位を備え、前記電極板β-２は、前記電極板β-２の一端から前記組電池Ａ側に延設された前記バスバーの他端が電気的に接続される接続部位を備える、電源装置。
［２］バスバーの少なくとも一部は、前記組電池Ｂの前記単電池ｂ同士の隙間に配置されている、［１］に記載の電源装置。
【手続補正２】
【補正対象書類名】明細書
【補正対象項目名】０００７
【補正方法】変更
【補正の内容】
【０００７】
［３］バスバーは、銅、鉄，ニッケル，アルミニウム、またはそれらの合金、もしくはそれらを含む複層の合板である、［１］に記載の電源装置。
［４］バスバーは、外径Φ５〜２０ｍｍの中実バーである、［１］に記載の電源装置。
［５］バスバーは、外径Φ５〜２０ｍｍ、内径４〜１９ｍｍの中空バーである、［１］に記載の電源装置。
［６］バスバーの中空部は、単電池ａまたは単電池ｂから排出されるガスの排気流路となる、請求項５に記載の電源装置。
【手続補正３】
【補正対象書類名】明細書
【補正対象項目名】０００８
【補正方法】変更
【補正の内容】
【０００８】
［７］バスバーは、電極板α-１または電極板β-２に、機械的または冶金的に接合されている、［１］に記載の電源装置。
【手続補正４】
【補正対象書類名】明細書
【補正対象項目名】０００９
【補正方法】変更
【補正の内容】
【０００９】
［８］組電池Ａまたは組電池Ｂは、複数の単電池を保持するハウジングを有し、かつバスバーは、ハウジングと離間している、［１］に記載の電源装置。
［９］組電池Ａの単電池ａ同士の隙間、または組電池Ｂの単電池ｂ同士の隙間には、温度または電圧のセンサーが配置されている、［１］に記載の電源装置。
［１０］同一平面に配列された複数の円柱状の単電池ａ、前記単電池ａの頂部に配置された電極板α-１、前記単電池ａの底部に配置された電極板α-２を含む組電池Ａと、
同一平面に配列された複数の円柱状の単電池ｂ、前記単電池ｂの頂部に配置された電極板β-１、前記単電池ｂの底部に配置された電極板β-２を含む組電池Ｂと、
前記組電池Ａの前記単電池ａ同士の隙間に配置され、前記電極板α-１および前記電極板β-２を介して前記組電池Ａの電極と前記組電池Ｂの電極とを電気的に接続するバスバーと、を有し、
前記組電池Ａと前記組電池Ｂとが交互に連続して配置され、
前記電極板α-１は、前記電極板α-１の一端から前記組電池Ｂ側に延設された前記バスバーの一端が電気的に接続される接続部位を備え、前記電極板β-２は、前記電極板β-２の一端から前記組電池Ａ側に延設された前記バスバーの他端が電気的に接続される接続部位を備える、第１の電池モジュールと、
第１の電池モジュールと同様にして製造された第２の電池モジュールと、を有し、
第１、第２の電池モジュールは、各陽極側が互いに向かい合うように配置され、第１の電池モジュールの一端の陽極と、第２の電池モジュールの一端の負極とがバスバーを介して電気接続されている、電源装置。
［１１］第１、第２の電池モジュールの陽極上に配置された、防爆フードをさらに備える、［１０］に記載の電源装置。
［１２］同一平面に配列された複数の円柱状の単電池ａ、前記単電池ａの頂部に配置された電極板α-１、前記単電池ａの底部に配置された電極板α-２を含む組電池Ａと、
同一平面に配列された複数の円柱状の単電池ｂ、前記単電池ｂの頂部に配置された電極板β-１、前記単電池ｂの底部に配置された電極板β-２を含む組電池Ｂと、
前記組電池Ａの前記単電池ａ同士の隙間に配置され、前記電極板α-１および前記電極板β-２を介して前記組電池Ａの電極と前記組電池Ｂの電極とを電気的に接続するバスバーと、を有し、
前記組電池Ａと前記組電池Ｂとが交互に連続して配置され、
前記電極板α-１は、前記電極板α-１の一端から前記組電池Ｂ側に延設された前記バスバーの一端が電気的に接続される接続部位を備え、前記電極板β-２は、前記電極板β-２の一端から前記組電池Ａ側に延設された前記バスバーの他端が電気的に接続される接続部位を備える、第１の電池モジュールと、
第１の電池モジュールと同様にして製造された第２の電池モジュールと、を有し、
第１の電池モジュールの陽極側と、第２の電池モジュールの負極側とがそれぞれ向かい合うように配置され、第１の電池モジュールの一端の陽極と、第２の電池モジュールの一端の負極とがバスバーを介して電気接続されている、電源装置。
【手続補正５】
【補正対象書類名】特許請求の範囲
【補正対象項目名】全文
【補正方法】変更
【補正の内容】
【特許請求の範囲】
【請求項１】
同一平面に配列された複数の円柱状の単電池ａ、前記単電池ａの頂部に配置された電極板α-１、前記単電池ａの底部に配置された電極板α-２を含む組電池Ａと、
同一平面に配列された複数の円柱状の単電池ｂ、前記単電池ｂの頂部に配置された電極板β-１、前記単電池ｂの底部に配置された電極板β-２を含む組電池Ｂと、
前記組電池Ａの前記単電池ａ同士の隙間に配置され、前記電極板α-１および前記電極板β-２を介して前記組電池Ａの電極と前記組電池Ｂの電極とを電気的に接続するバスバーと、を有し、
前記電極板α-１は、前記電極板α-１の一端から前記組電池Ｂ側に延設された前記バスバーの一端が電気的に接続される接続部位を備え、前記電極板β-２は、前記電極板β-２の一端から前記組電池Ａ側に延設された前記バスバーの他端が電気的に接続される接続部位を備える、電源装置。
【請求項２】
前記バスバーの少なくとも一部は、前記組電池Ｂの前記単電池ｂ同士の隙間に配置されている、請求項１に記載の電源装置。
【請求項３】
前記バスバーは、銅、鉄，ニッケル，アルミニウム、またはそれらの合金、もしくはそれらを含む複層の合板である、請求項１に記載の電源装置。
【請求項４】
前記バスバーは、外径Φ５〜２０ｍｍの中実バーである、請求項１に記載の電源装置。
【請求項５】
前記バスバーは、外径Φ５〜２０ｍｍ、内径４〜１９ｍｍの中空バーである、請求項１に記載の電源装置。
【請求項６】
前記バスバーの中空部は、前記単電池ａまたは前記単電池ｂから排出されるガスの排気流路となる、請求項５に記載の電源装置。
【請求項７】
前記バスバーは、前記電極板α-１または前記電極板β-２に、機械的または冶金的に接合されている、請求項１に記載の電源装置。
【請求項８】
前記組電池Ａまたは前記組電池Ｂは、複数の前記単電池を保持するハウジングを有し、かつ
前記バスバーは、前記ハウジングと離間している、請求項１に記載の電源装置。
【請求項９】
前記組電池Ａの前記単電池ａ同士の隙間、または前記組電池Ｂの前記単電池ｂ同士の隙間には、温度または電圧のセンサーが配置されている、請求項１に記載の電源装置。
【請求項１０】
同一平面に配列された複数の円柱状の単電池ａ、前記単電池ａの頂部に配置された電極板α-１、前記単電池ａの底部に配置された電極板α-２を含む組電池Ａと、
同一平面に配列された複数の円柱状の単電池ｂ、前記単電池ｂの頂部に配置された電極板β-１、前記単電池ｂの底部に配置された電極板β-２を含む組電池Ｂと、
前記組電池Ａの前記単電池ａ同士の隙間に配置され、前記電極板α-１および前記電極板β-２を介して前記組電池Ａの電極と前記組電池Ｂの電極とを電気的に接続するバスバーと、を有し、
前記組電池Ａと前記組電池Ｂとが交互に連続して配置され、
前記電極板α-１は、前記電極板α-１の一端から前記組電池Ｂ側に延設された前記バスバーの一端が電気的に接続される接続部位を備え、前記電極板β-２は、前記電極板β-２の一端から前記組電池Ａ側に延設された前記バスバーの他端が電気的に接続される接続部位を備える、第１の電池モジュールと、
前記第１の電池モジュールと同様にして製造された第２の電池モジュールと、を有し、
前記第１、第２の電池モジュールは、各陽極側が互いに向かい合うように配置され、前記第１の電池モジュールの一端の陽極と、前記第２の電池モジュールの一端の負極とが前記バスバーを介して電気接続されている、電源装置。
【請求項１１】
前記第１、第２の電池モジュールの陽極上に配置された、防爆フードをさらに備える、請求項１０に記載の電源装置。
【請求項１２】
同一平面に配列された複数の円柱状の単電池ａ、前記単電池ａの頂部に配置された電極板α-１、前記単電池ａの底部に配置された電極板α-２を含む組電池Ａと、
同一平面に配列された複数の円柱状の単電池ｂ、前記単電池ｂの頂部に配置された電極板β-１、前記単電池ｂの底部に配置された電極板β-２を含む組電池Ｂと、
前記組電池Ａの前記単電池ａ同士の隙間に配置され、前記電極板α-１および前記電極板β-２を介して前記組電池Ａの電極と前記組電池Ｂの電極とを電気的に接続するバスバーと、を有し、
前記組電池Ａと前記組電池Ｂとが交互に連続して配置され、
前記電極板α-１は、前記電極板α-１の一端から前記組電池Ｂ側に延設された前記バスバーの一端が電気的に接続される接続部位を備え、前記電極板β-２は、前記電極板β-２の一端から前記組電池Ａ側に延設された前記バスバーの他端が電気的に接続される接続部位を備える、第１の電池モジュールと、
前記第１の電池モジュールと同様にして製造された第２の電池モジュールと、を有し、
前記第１の電池モジュールの陽極側と、前記第２の電池モジュールの負極側とがそれぞれ向かい合うように配置され、前記第１の電池モジュールの一端の陽極と、前記第２の電池モジュールの一端の負極とが前記バスバーを介して電気接続されている、電源装置。
【手続補正書】
【提出日】平成24年11月30日(2012.11.30)
【手続補正１】
【補正対象書類名】明細書
【補正対象項目名】０００６
【補正方法】変更
【補正の内容】
【０００６】
すなわち本発明は、以下に示す電源装置に関する。
［１］同一平面に配列された複数の円柱状の単電池ａ、前記単電池ａの頂部に配置された電極板α-１、前記単電池ａの底部に配置された電極板α-２を含む組電池Ａと、
同一平面に配列された複数の円柱状の単電池ｂ、前記単電池ｂの頂部に配置された電極板β-１、前記単電池ｂの底部に配置された電極板β-２を含む組電池Ｂと、
前記組電池Ａの前記単電池ａ同士の隙間に配置され、前記電極板α-１および前記電極板β-２を介して前記組電池Ａの電極と前記組電池Ｂの電極とを電気的に接続するバスバーと、を有し、
前記バスバーの少なくとも一部は、前記単電池ａ同士の縁を結ぶ直線よりも内側に配置され、かつ、
前記電極板α-１は、前記電極板α-１の一端から前記組電池Ｂ側に延設された前記バスバーの一端が電気的に接続される接続部位を備え、前記電極板β-２は、前記電極板β-２の一端から前記組電池Ａ側に延設された前記バスバーの他端が電気的に接続される接続部位を備える、電源装置。
［２］前記バスバーは、前記単電池ａ同士の縁を結ぶ直線の中心に直行する中心線上に配置されている、［１］に記載の電源装置。
［３］バスバーの少なくとも一部は、前記組電池Ｂの前記単電池ｂ同士の隙間に配置されている、［１］に記載の電源装置。
【手続補正２】
【補正対象書類名】明細書
【補正対象項目名】０００７
【補正方法】変更
【補正の内容】
【０００７】
［４］バスバーは、銅、鉄，ニッケル，アルミニウム、またはそれらの合金、もしくはそれらを含む複層の合板である、［１］に記載の電源装置。
［５］バスバーは、外径Φ５〜２０ｍｍの中実バーである、［１］に記載の電源装置。
［６］バスバーは、外径Φ５〜２０ｍｍ、内径４〜１９ｍｍの中空バーである、［１］に記載の電源装置。
［７］バスバーの中空部は、単電池ａまたは単電池ｂから排出されるガスの排気流路となる、［６］に記載の電源装置。
【手続補正３】
【補正対象書類名】明細書
【補正対象項目名】０００８
【補正方法】変更
【補正の内容】
【０００８】
［８］バスバーは、電極板α-１または電極板β-２に、機械的または冶金的に接合されている、［１］に記載の電源装置。
【手続補正４】
【補正対象書類名】明細書
【補正対象項目名】０００９
【補正方法】変更
【補正の内容】
【０００９】
［９］組電池Ａまたは組電池Ｂは、複数の単電池を保持するハウジングを有し、かつバスバーは、ハウジングと離間している、［１］に記載の電源装置。
［１０］組電池Ａの単電池ａ同士の隙間、または組電池Ｂの単電池ｂ同士の隙間には、温度または電圧のセンサーが配置されている、［１］に記載の電源装置。
［１１］同一平面に配列された複数の円柱状の単電池ａ、前記単電池ａの頂部に配置された電極板α-１、前記単電池ａの底部に配置された電極板α-２を含む組電池Ａと、
同一平面に配列された複数の円柱状の単電池ｂ、前記単電池ｂの頂部に配置された電極板β-１、前記単電池ｂの底部に配置された電極板β-２を含む組電池Ｂと、
前記組電池Ａの前記単電池ａ同士の隙間に配置され、前記電極板α-１および前記電極板β-２を介して前記組電池Ａの電極と前記組電池Ｂの電極とを電気的に接続するバスバーと、を有し、
前記組電池Ａと前記組電池Ｂとが交互に連続して配置され、
前記バスバーの少なくとも一部は、前記単電池ａ同士の縁を結ぶ直線よりも内側に配置され、かつ、
前記電極板α-１は、前記電極板α-１の一端から前記組電池Ｂ側に延設された前記バスバーの一端が電気的に接続される接続部位を備え、前記電極板β-２は、前記電極板β-２の一端から前記組電池Ａ側に延設された前記バスバーの他端が電気的に接続される接続部位を備える、第１の電池モジュールと、
第１の電池モジュールと同様にして製造された第２の電池モジュールと、を有し、
第１、第２の電池モジュールは、各陽極側が互いに向かい合うように配置され、第１の電池モジュールの一端の陽極と、第２の電池モジュールの一端の負極とがバスバーを介して電気接続されている、電源装置。
［１２］バスバーは、単電池ａ同士の縁を結ぶ直線の中心に直行する中心線上に配置されている、［１１］に記載の電源装置。
［１３］第１、第２の電池モジュールの陽極上に配置された、防爆フードをさらに備える、［１１］に記載の電源装置。
［１４］同一平面に配列された複数の円柱状の単電池ａ、前記単電池ａの頂部に配置された電極板α-１、前記単電池ａの底部に配置された電極板α-２を含む組電池Ａと、
同一平面に配列された複数の円柱状の単電池ｂ、前記単電池ｂの頂部に配置された電極板β-１、前記単電池ｂの底部に配置された電極板β-２を含む組電池Ｂと、
前記組電池Ａの前記単電池ａ同士の隙間に配置され、前記電極板α-１および前記電極板β-２を介して前記組電池Ａの電極と前記組電池Ｂの電極とを電気的に接続するバスバーと、を有し、
前記組電池Ａと前記組電池Ｂとが交互に連続して配置され、
前記バスバーの少なくとも一部は、前記単電池ａ同士の縁を結ぶ直線よりも内側に配置され、かつ、
前記電極板α-１は、前記電極板α-１の一端から前記組電池Ｂ側に延設された前記バスバーの一端が電気的に接続される接続部位を備え、前記電極板β-２は、前記電極板β-２の一端から前記組電池Ａ側に延設された前記バスバーの他端が電気的に接続される接続部位を備える、第１の電池モジュールと、
前記第１の電池モジュールと同様にして製造された第２の電池モジュールと、を有し、
前記第１の電池モジュールの陽極側と、第２の電池モジュールの負極側とがそれぞれ向かい合うように配置され、第１の電池モジュールの一端の陽極と、第２の電池モジュールの一端の負極とがバスバーを介して電気接続されている、電源装置。
［１５］バスバーは、単電池ａ同士の縁を結ぶ直線の中心に直行する中心線上に配置されている、［１４］に記載の電源装置。
【手続補正５】
【補正対象書類名】特許請求の範囲
【補正対象項目名】全文
【補正方法】変更
【補正の内容】
【特許請求の範囲】
【請求項１】
同一平面に配列された複数の円柱状の単電池ａ、前記単電池ａの頂部に配置された電極板α-１、前記単電池ａの底部に配置された電極板α-２を含む組電池Ａと、
同一平面に配列された複数の円柱状の単電池ｂ、前記単電池ｂの頂部に配置された電極板β-１、前記単電池ｂの底部に配置された電極板β-２を含む組電池Ｂと、
前記組電池Ａの前記単電池ａ同士の隙間に配置され、前記電極板α-１および前記電極板β-２を介して前記組電池Ａの電極と前記組電池Ｂの電極とを電気的に接続するバスバーと、を有し、
前記バスバーの少なくとも一部は、前記単電池ａ同士の縁を結ぶ直線よりも内側に配置され、かつ、
前記電極板α-１は、前記電極板α-１の一端から前記組電池Ｂ側に延設された前記バスバーの一端が電気的に接続される接続部位を備え、前記電極板β-２は、前記電極板β-２の一端から前記組電池Ａ側に延設された前記バスバーの他端が電気的に接続される接続部位を備える、電源装置。
【請求項２】
前記バスバーは、前記単電池ａ同士の縁を結ぶ直線の中心に直行する中心線上に配置されている、請求項１に記載の電源装置。
【請求項３】
前記バスバーの少なくとも一部は、前記組電池Ｂの前記単電池ｂ同士の隙間に配置されている、請求項１に記載の電源装置。
【請求項４】
前記バスバーは、銅、鉄，ニッケル，アルミニウム、またはそれらの合金、もしくはそれらを含む複層の合板である、請求項１に記載の電源装置。
【請求項５】
前記バスバーは、外径Φ５〜２０ｍｍの中実バーである、請求項１に記載の電源装置。
【請求項６】
前記バスバーは、外径Φ５〜２０ｍｍ、内径４〜１９ｍｍの中空バーである、請求項１に記載の電源装置。
【請求項７】
前記バスバーの中空部は、前記単電池ａまたは前記単電池ｂから排出されるガスの排気流路となる、請求項６に記載の電源装置。
【請求項８】
前記バスバーは、前記電極板α-１または前記電極板β-２に、機械的または冶金的に接合されている、請求項１に記載の電源装置。
【請求項９】
前記組電池Ａまたは前記組電池Ｂは、複数の前記単電池を保持するハウジングを有し、かつ
前記バスバーは、前記ハウジングと離間している、請求項１に記載の電源装置。
【請求項１０】
前記組電池Ａの前記単電池ａ同士の隙間、または前記組電池Ｂの前記単電池ｂ同士の隙間には、温度または電圧のセンサーが配置されている、請求項１に記載の電源装置。
【請求項１１】
同一平面に配列された複数の円柱状の単電池ａ、前記単電池ａの頂部に配置された電極板α-１、前記単電池ａの底部に配置された電極板α-２を含む組電池Ａと、
同一平面に配列された複数の円柱状の単電池ｂ、前記単電池ｂの頂部に配置された電極板β-１、前記単電池ｂの底部に配置された電極板β-２を含む組電池Ｂと、
前記組電池Ａの前記単電池ａ同士の隙間に配置され、前記電極板α-１および前記電極板β-２を介して前記組電池Ａの電極と前記組電池Ｂの電極とを電気的に接続するバスバーと、を有し、
前記組電池Ａと前記組電池Ｂとが交互に連続して配置され、
前記バスバーの少なくとも一部は、前記単電池ａ同士の縁を結ぶ直線よりも内側に配置され、かつ、
前記電極板α-１は、前記電極板α-１の一端から前記組電池Ｂ側に延設された前記バスバーの一端が電気的に接続される接続部位を備え、前記電極板β-２は、前記電極板β-２の一端から前記組電池Ａ側に延設された前記バスバーの他端が電気的に接続される接続部位を備える、第１の電池モジュールと、
前記第１の電池モジュールと同様にして製造された第２の電池モジュールと、を有し、
前記第１、第２の電池モジュールは、各陽極側が互いに向かい合うように配置され、前記第１の電池モジュールの一端の陽極と、前記第２の電池モジュールの一端の負極とが前記バスバーを介して電気接続されている、電源装置。
【請求項１２】
前記バスバーは、前記単電池ａ同士の縁を結ぶ直線の中心に直行する中心線上に配置されている、請求項１１に記載の電源装置。
【請求項１３】
前記第１、第２の電池モジュールの陽極上に配置された、防爆フードをさらに備える、請求項１１に記載の電源装置。
【請求項１４】
同一平面に配列された複数の円柱状の単電池ａ、前記単電池ａの頂部に配置された電極板α-１、前記単電池ａの底部に配置された電極板α-２を含む組電池Ａと、
同一平面に配列された複数の円柱状の単電池ｂ、前記単電池ｂの頂部に配置された電極板β-１、前記単電池ｂの底部に配置された電極板β-２を含む組電池Ｂと、
前記組電池Ａの前記単電池ａ同士の隙間に配置され、前記電極板α-１および前記電極板β-２を介して前記組電池Ａの電極と前記組電池Ｂの電極とを電気的に接続するバスバーと、を有し、
前記組電池Ａと前記組電池Ｂとが交互に連続して配置され、
前記バスバーの少なくとも一部は、前記単電池ａ同士の縁を結ぶ直線よりも内側に配置され、かつ、
前記電極板α-１は、前記電極板α-１の一端から前記組電池Ｂ側に延設された前記バスバーの一端が電気的に接続される接続部位を備え、前記電極板β-２は、前記電極板β-２の一端から前記組電池Ａ側に延設された前記バスバーの他端が電気的に接続される接続部位を備える、第１の電池モジュールと、
前記第１の電池モジュールと同様にして製造された第２の電池モジュールと、を有し、
前記第１の電池モジュールの陽極側と、前記第２の電池モジュールの負極側とがそれぞれ向かい合うように配置され、前記第１の電池モジュールの一端の陽極と、前記第２の電池モジュールの一端の負極とが前記バスバーを介して電気接続されている、電源装置。
【請求項１５】
前記バスバーは、前記単電池ａ同士の縁を結ぶ直線の中心に直行する中心線上に配置されている、請求項１４に記載の電源装置。
【国際調査報告】
2012164837.tif 000010
2012164837.tif 000011
2012164837.tif 000012
2012164837.tif 000013